(57)【要約】【課題】ＩＰｖ６アドレスの構成に適した変換規則を使用しながら、ＩＰｖ６アドレスや装置識別番号を生成したい。【解決手段】入力部１６０は、基地局識別番号を入力する。端末ＭＡＣアドレス生成部１６２は、基地局識別番号に対して、予め記憶した変換テーブルを参照しながら、上位番号から事業者割当ＭＡＣアドレスへの変換を行うことによって、基地局ＭＡＣアドレスを生成する。インタフェースＩＤ生成部１６６は、基地局ＭＡＣアドレスから、インタフェースＩＤを生成する。ネットワークプレフィクス生成部１６８は、基地局識別番号のうちのページングエリア番号と、予め規定されたネットワークプレフィクスの一部とを結合することによって、ネットワークプレフィクスを生成する。ＩＰｖ６アドレス生成部１７０は、ネットワークプレフィクスと、インタフェースＩＤを結合することによって、基地局装置のＩＰアドレスを生成する。【選択図】図７
2008236410.tif 000002
【特許請求の範囲】
【請求項１】
上位番号、ページングエリア番号、基地局番号によって形成された基地局識別番号を入力するステップと、
入力した基地局識別番号に対して、予め記憶した変換テーブルを参照しながら、上位番号から事業者割当ＭＡＣアドレスへの変換を行うことによって、上位番号よりもビット数の多い事業者割当ＭＡＣアドレス、ページングエリア番号、基地局番号によって形成された基地局ＭＡＣアドレスを生成するステップと、
生成した基地局ＭＡＣアドレスに対して、事業者割当ＭＡＣアドレスの所定ビットを反転させるとともに、固定ビットを挿入することによって、インタフェースＩＤを生成するステップと、
入力した基地局識別番号のうちのページングエリア番号と、予め規定されたネットワークプレフィクスの一部とを結合することによって、ネットワークプレフィクスを生成するステップと、
生成したネットワークプレフィクスと、生成したインタフェースＩＤを結合することによって、基地局装置のＩＰアドレスを生成するステップと、
を備えることを特徴とするＩＰアドレスの生成方法。
【請求項２】
上位番号、端末番号によって形成された端末識別番号および少なくともページングエリア番号を含んだ基地局識別番号を入力するステップと、
入力した端末識別番号に対して、予め記憶した変換テーブルを参照しながら、上位番号から事業者割当ＭＡＣアドレスへの変換を行うことによって、上位番号よりもビット数の多い事業者割当ＭＡＣアドレス、端末番号によって形成された端末ＭＡＣアドレスを生成するステップと、
生成した端末ＭＡＣアドレスに対して、事業者割当ＭＡＣアドレスの所定ビットを反転させるとともに、固定ビットを挿入することによって、インタフェースＩＤを生成するステップと、
入力した基地局識別番号のうちのページングエリア番号と、予め規定されたネットワークプレフィクスの一部とを結合することによって、ネットワークプレフィクスを生成するステップと、
生成したネットワークプレフィクスと、生成したインタフェースＩＤを結合することによって、端末装置のＩＰアドレスを生成するステップと、
を備えることを特徴とするＩＰアドレスの生成方法。
【請求項３】
ネットワークプレフィクス、インタフェースＩＤによって形成されたＩＰアドレスを入力するステップと、
入力したＩＰアドレスから、事業者割当ＭＡＣアドレス、固定ビット、その他の番号によって形成されたインタフェースＩＤを抽出するステップと、
抽出したインタフェースＩＤに対して、事業者割当ＭＡＣアドレスの所定ビットを反転させるとともに、固定ビットを削除することによって、装置ＭＡＣアドレスを生成するステップと、
生成した装置ＭＡＣアドレスに対して、予め記憶した変換テーブルを参照しながら、所定ビットを反転させた事業者ＭＡＣアドレスから上位番号への変換を行うことによって、所定ビットを反転させた事業者ＭＡＣアドレスよりもビット数の少ない上位番号、その他の番号によって形成された装置識別番号を生成するステップと、
を備えることを特徴とする装置識別番号の生成方法。
【請求項４】
上位番号、ページングエリア番号、基地局番号によって形成された基地局識別番号を基地局装置から受信する入力部と、
前記入力部において受信した基地局識別番号に対して、予め記憶した変換テーブルを参照しながら、上位番号から事業者割当ＭＡＣアドレスへの変換を行うことによって、上位番号よりもビット数の多い事業者割当ＭＡＣアドレス、ページングエリア番号、基地局番号によって形成された基地局ＭＡＣアドレスを生成する第１生成部と、
前記第１生成部において生成した基地局ＭＡＣアドレスに対して、事業者割当ＭＡＣアドレスの所定ビットを反転させるとともに、固定ビットを挿入することによって、インタフェースＩＤを生成する第２生成部と、
前記入力部において受信した基地局識別番号のうちのページングエリア番号と、予め規定されたネットワークプレフィクスの一部とを結合することによって、ネットワークプレフィクスを生成する第３生成部と、
前記第３生成部において生成したネットワークプレフィクスと、前記第２生成部において生成したインタフェースＩＤを結合することによって、基地局装置のＩＰアドレスを生成する第４生成部と、
を備えることを特徴とする端末装置。
【請求項５】
上位番号、端末番号によって形成された端末識別番号を端末装置から受信するとともに、少なくともページングエリア番号を含んだ基地局識別番号を入力する入力部と、
前記入力部において受信した端末識別番号に対して、予め記憶した変換テーブルを参照しながら、上位番号から事業者割当ＭＡＣアドレスへの変換を行うことによって、上位番号よりもビット数の多い事業者割当ＭＡＣアドレス、端末番号によって形成された端末ＭＡＣアドレスを生成する第１生成部と、
前記第１生成部において生成した端末ＭＡＣアドレスに対して、事業者割当ＭＡＣアドレスの所定ビットを反転させるとともに、固定ビットを挿入することによって、インタフェースＩＤを生成する第２生成部と、
前記入力部において入力した基地局識別番号のうちのページングエリア番号と、予め規定されたネットワークプレフィクスの一部とを結合することによって、ネットワークプレフィクスを生成する第３生成部と、
前記第３生成部において生成したネットワークプレフィクスと、前記第２生成部において生成したインタフェースＩＤを結合することによって、端末装置のＩＰアドレスを生成する第４生成部と、
を備えることを特徴とする基地局装置。
【請求項６】
上位番号、端末番号によって形成された端末識別番号を入力するとともに、少なくともページングエリア番号を含んだ基地局識別番号を基地局装置から受信する入力部と、
前記入力部において入力した端末識別番号に対して、予め記憶した変換テーブルを参照しながら、上位番号から事業者割当ＭＡＣアドレスへの変換を行うことによって、上位番号よりもビット数の多い事業者割当ＭＡＣアドレス、端末番号によって形成された端末ＭＡＣアドレスを生成する第１生成部と、
前記第１生成部において生成した端末ＭＡＣアドレスに対して、事業者割当ＭＡＣアドレスの所定ビットを反転させるとともに、固定ビットを挿入することによって、インタフェースＩＤを生成する第２生成部と、
前記入力部において受信した基地局識別番号のうちのページングエリア番号と、予め規定されたネットワークプレフィクスの一部とを結合することによって、ネットワークプレフィクスを生成する第３生成部と、
前記第３生成部において生成したネットワークプレフィクスと、前記第２生成部において生成したインタフェースＩＤを結合することによって、端末装置のＩＰアドレスを生成する第４生成部と、
を備えることを特徴とする端末装置。
【発明の詳細な説明】
【技術分野】
【０００１】
本発明は、生成技術に関し、特に通信に使用すべきＩＰアドレスや装置識別番号を生成するＩＰアドレスの生成方法、装置識別番号の生成方法、基地局装置、端末装置に関する。
【背景技術】
【０００２】
通信における伝送容量は限られているので、伝送されるメッセージの量は少ない方が望ましい。また、パケット信号による通信では、一般的にパケット信号中に送信元の識別番号と宛先の識別番号とが含まれる。このような識別番号の一例がＩＰアドレスである。パケット信号の伝送効率を向上させるためには、パケット信号に含まれるＩＰアドレスは短い方が望ましい。そこで、ＩＰアドレスの下位ビットを端末装置の識別子として使用する技術が提案されている（例えば、特許文献１、２参照）。
【特許文献１】特表２００２−５３４９１１号公報
【特許文献２】特開２００５−２４４３６５号公報
【発明の開示】
【発明が解決しようとする課題】
【０００３】
近年、ＩＰアドレスを拡張するために、ＩＰｖ６アドレスの使用が検討されている。このＩＰｖ６アドレスは、１２８ビットもあり、低速な通信回線では、ＩＰｖ６アドレスの送信だけでも負荷になる。一方、例えば、第２世代コードレス電話システムでは、基地局装置が端末装置を識別するために、基地局装置は、端末装置のそれぞれに３２ビットの識別番号を付与する。そのため、識別番号の３２ビットとＩＰｖ６アドレスの１２８ビットとの間に変換規則が規定されれば、基地局装置と端末装置間では、識別番号にてＩＰｖ６アドレスを代用でき、伝送効率を向上できる。しかしながら、ＩＰｖ６アドレスには、インタフェースＩＤとネットワークプレフィクスとが含まれており、ネットワークプレフィクスは、基地局装置が所属しているネットワークを識別するために使用される。そのため、端末装置の識別番号を拡張するだけでは、ＩＰｖ６アドレスを導出できない。つまり、ＩＰｖ６アドレスの構成を考慮しながら、識別番号とＩＰｖ６アドレスとの間の変換規則が規定されるべきである。
【０００４】
本発明はこうした状況に鑑みてなされたものであり、その目的は、ＩＰｖ６アドレスの構成に適した変換規則を使用しながら、ＩＰｖ６アドレスや装置識別番号を生成する生成技術を提供することにある。
【課題を解決するための手段】
【０００５】
上記課題を解決するために、本発明のある態様のＩＰアドレスの生成方法は、上位番号、ページングエリア番号、基地局番号によって形成された基地局識別番号を入力するステップと、入力した基地局識別番号に対して、予め記憶した変換テーブルを参照しながら、上位番号から事業者割当ＭＡＣアドレスへの変換を行うことによって、上位番号よりもビット数の多い事業者割当ＭＡＣアドレス、ページングエリア番号、基地局番号によって形成された基地局ＭＡＣアドレスを生成するステップと、生成した基地局ＭＡＣアドレスに対して、事業者割当ＭＡＣアドレスの所定ビットを反転させるとともに、固定ビットを挿入することによって、インタフェースＩＤを生成するステップと、入力した基地局識別番号のうちのページングエリア番号と、予め規定されたネットワークプレフィクスの一部とを結合することによって、ネットワークプレフィクスを生成するステップと、生成したネットワークプレフィクスと、生成したインタフェースＩＤを結合することによって、基地局装置のＩＰアドレスを生成するステップと、を備える。
【０００６】
この態様によると、基地局識別番号に含まれた上位番号をもとにインタフェースＩＤを生成し、基地局識別番号に含まれたページングエリア番号をもとにネットワークプレフィクスを生成するので、アドレスの構成に適した変換規則を使用しながら、基地局装置のＩＰアドレスを生成できる。
【０００７】
本発明の別の態様もまた、ＩＰアドレスの生成方法である。この方法は、上位番号、端末番号によって形成された端末識別番号および少なくともページングエリア番号を含んだ基地局識別番号を入力するステップと、入力した端末識別番号に対して、予め記憶した変換テーブルを参照しながら、上位番号から事業者割当ＭＡＣアドレスへの変換を行うことによって、上位番号よりもビット数の多い事業者割当ＭＡＣアドレス、端末番号によって形成された端末ＭＡＣアドレスを生成するステップと、生成した端末ＭＡＣアドレスに対して、事業者割当ＭＡＣアドレスの所定ビットを反転させるとともに、固定ビットを挿入することによって、インタフェースＩＤを生成するステップと、入力した基地局識別番号のうちのページングエリア番号と、予め規定されたネットワークプレフィクスの一部とを結合することによって、ネットワークプレフィクスを生成するステップと、生成したネットワークプレフィクスと、生成したインタフェースＩＤを結合することによって、端末装置のＩＰアドレスを生成するステップと、を備える。
【０００８】
この態様によると、端末識別番号に含まれた上位番号をもとにインタフェースＩＤを生成し、基地局識別番号に含まれたページングエリア番号をもとにネットワークプレフィクスを生成するので、アドレスの構成に適した変換規則を使用しながら、端末装置のＩＰアドレスを生成できる。
【０００９】
本発明のさらに別の態様は、装置識別番号の生成方法である。この方法は、ネットワークプレフィクス、インタフェースＩＤによって形成されたＩＰアドレスを入力するステップと、入力したＩＰアドレスから、事業者割当ＭＡＣアドレス、固定ビット、その他の番号によって形成されたインタフェースＩＤを抽出するステップと、抽出したインタフェースＩＤに対して、事業者割当ＭＡＣアドレスの所定ビットを反転させるとともに、固定ビットを削除することによって、装置ＭＡＣアドレスを生成するステップと、生成した装置ＭＡＣアドレスに対して、予め記憶した変換テーブルを参照しながら、所定ビットを反転させた事業者ＭＡＣアドレスから上位番号への変換を行うことによって、所定ビットを反転させた事業者ＭＡＣアドレスよりもビット数の少ない上位番号、その他の番号によって形成された装置識別番号を生成するステップと、を備える。
【００１０】
この態様によると、ＩＰアドレスのインタフェースＩＤをもとに装置識別番号を生成するので、装置識別番号の伝送を不要にできる。
【００１１】
本発明のさらに別の態様は、端末装置である。この装置は、上位番号、ページングエリア番号、基地局番号によって形成された基地局識別番号を基地局装置から受信する入力部と、入力部において受信した基地局識別番号に対して、予め記憶した変換テーブルを参照しながら、上位番号から事業者割当ＭＡＣアドレスへの変換を行うことによって、上位番号よりもビット数の多い事業者割当ＭＡＣアドレス、ページングエリア番号、基地局番号によって形成された基地局ＭＡＣアドレスを生成する第１生成部と、第１生成部において生成した基地局ＭＡＣアドレスに対して、事業者割当ＭＡＣアドレスの所定ビットを反転させるとともに、固定ビットを挿入することによって、インタフェースＩＤを生成する第２生成部と、入力部において受信した基地局識別番号のうちのページングエリア番号と、予め規定されたネットワークプレフィクスの一部とを結合することによって、ネットワークプレフィクスを生成する第３生成部と、第３生成部において生成したネットワークプレフィクスと、第２生成部において生成したインタフェースＩＤを結合することによって、基地局装置のＩＰアドレスを生成する第４生成部と、を備える。
【００１２】
この態様によると、基地局識別番号に含まれた上位番号をもとにインタフェースＩＤを生成し、基地局識別番号に含まれたページングエリア番号をもとにネットワークプレフィクスを生成するので、アドレスの構成に適した変換規則を使用しながら、基地局装置のＩＰアドレスを生成できる。
【００１３】
本発明のさらに別の態様は、基地局装置である。この装置は、上位番号、端末番号によって形成された端末識別番号を端末装置から受信するとともに、少なくともページングエリア番号を含んだ基地局識別番号を入力する入力部と、入力部において受信した端末識別番号に対して、予め記憶した変換テーブルを参照しながら、上位番号から事業者割当ＭＡＣアドレスへの変換を行うことによって、上位番号よりもビット数の多い事業者割当ＭＡＣアドレス、端末番号によって形成された端末ＭＡＣアドレスを生成する第１生成部と、第１生成部において生成した端末ＭＡＣアドレスに対して、事業者割当ＭＡＣアドレスの所定ビットを反転させるとともに、固定ビットを挿入することによって、インタフェースＩＤを生成する第２生成部と、入力部において入力した基地局識別番号のうちのページングエリア番号と、予め規定されたネットワークプレフィクスの一部とを結合することによって、ネットワークプレフィクスを生成する第３生成部と、第３生成部において生成したネットワークプレフィクスと、第２生成部において生成したインタフェースＩＤを結合することによって、端末装置のＩＰアドレスを生成する第４生成部と、を備える。
【００１４】
この態様によると、端末識別番号に含まれた上位番号をもとにインタフェースＩＤを生成し、基地局識別番号に含まれたページングエリア番号をもとにネットワークプレフィクスを生成するので、アドレスの構成に適した変換規則を使用しながら、端末装置のＩＰアドレスを生成できる。
【００１５】
本発明のさらに別の態様は、端末装置である。この装置は、上位番号、端末番号によって形成された端末識別番号を入力するとともに、少なくともページングエリア番号を含んだ基地局識別番号を基地局装置から受信する入力部と、入力部において入力した端末識別番号に対して、予め記憶した変換テーブルを参照しながら、上位番号から事業者割当ＭＡＣアドレスへの変換を行うことによって、上位番号よりもビット数の多い事業者割当ＭＡＣアドレス、端末番号によって形成された端末ＭＡＣアドレスを生成する第１生成部と、第１生成部において生成した端末ＭＡＣアドレスに対して、事業者割当ＭＡＣアドレスの所定ビットを反転させるとともに、固定ビットを挿入することによって、インタフェースＩＤを生成する第２生成部と、入力部において受信した基地局識別番号のうちのページングエリア番号と、予め規定されたネットワークプレフィクスの一部とを結合することによって、ネットワークプレフィクスを生成する第３生成部と、第３生成部において生成したネットワークプレフィクスと、第２生成部において生成したインタフェースＩＤを結合することによって、端末装置のＩＰアドレスを生成する第４生成部と、を備える。
【００１６】
この態様によると、端末識別番号に含まれた上位番号をもとにインタフェースＩＤを生成し、基地局識別番号に含まれたページングエリア番号をもとにネットワークプレフィクスを生成するので、アドレスの構成に適した変換規則を使用しながら、端末装置のＩＰアドレスを生成できる。
【００１７】
なお、以上の構成要素の任意の組合せ、本発明の表現を方法、装置、システム、記録媒体、コンピュータプログラムなどの間で変換したものもまた、本発明の態様として有効である。
【発明の効果】
【００１８】
本発明によれば、ＩＰｖ６アドレスの構成に適した変換規則を使用しながら、ＩＰｖ６アドレスや装置識別番号を生成できる。
【発明を実施するための最良の形態】
【００１９】
本発明を具体的に説明する前に、まず概要を述べる。本発明の実施例は、基地局装置と端末装置によって構成される通信システムに関し、基地局装置は、さらに有線ネットワークに接続されている。また、通信システムは、ＩＰｖ６ネットワークに対応しているので、基地局装置、端末装置等には、１２８ビットのＩＰｖ６アドレスが付与される。また、通信システムにおいて送信されるパケット信号には、送信元と宛先が示されたＩＰｖ６アドレスが付加されている。一方、基地局装置と端末装置との間の無線ネットワークでの通信速度は、有線ネットワークでの通信速度に比べて、低速である。そのため、ＩＰｖ６アドレスの付加によって、有線ネットワークでの伝送効率の低下は小さい。
【００２０】
しかしながら、ＩＰｖ６アドレスの付加によって、無線ネットワークでの伝送効率の低下は大きい。一方、無線ネットワークにおいて、各端末装置を識別するための識別番号が規定されており、識別番号は３２ビットにて示される。また、ＩＰｖ６アドレスには、インタフェースＩＤとネットワークプレフィクスが含まれており、このような構成を考慮しながら、ＩＰｖ６アドレスと識別番号とが対応づけられると、無線ネットワークでは、ＩＰｖ６アドレスの代わりに識別番号を使用できる。そのため、本実施例に係る通信システムは、次のように構成される。
【００２１】
端末装置は、基地局装置から、基地局識別番号を受けつける。この識別番号は、上位番号、ページングエリア番号、基地局番号から構成されている。これらのうち、ページングエリア番号は、同一のページング信号を送信すべきエリアを特定するための情報であり、通信ネットワーク全体の構成に依存する。一方、上位番号、基地局番号は、基地局装置そのものを特定するために使用される。端末装置は、予め定めた規則によって、上位番号を拡張しながら、これに基地局番号を付加し、インタフェースＩＤを生成する。一方、ページングエリア番号に既知の情報を付加することによって、ネットワークプレフィクスを生成する。最終的に、端末装置は、インタフェースＩＤとネットワークプレフィクスとを結合することによって、基地局装置のＩＰｖ６アドレスを取得する。このように、ＩＰｖ６アドレスに含まれたインタフェースＩＤとネットワークプレフィクスは、基地局識別番号に含まれた上位番号、ページングエリア番号、基地局番号のうち、関連の強いものと対応づけられながら生成される。
【００２２】
図１は、本発明の実施例に係る通信システム１００の構成を示す。通信システム１００は、端末装置１２、基地局装置１０、ネットワーク２１２、サーバ装置２１０を含む。通信システム１００は、ＩＰｖ６ネットワークに対応する。そのため、基地局装置１０、端末装置１２、ネットワーク２１２、サーバ装置２１０のそれぞれには、ＩＰｖ６アドレスが付与されている。また、ＩＰｖ６アドレスを付与する構成は公知のものでよいので、ここでは説明を省略する。なお、ＩＰｖ６アドレスは、６４ビットの「インタフェースＩＤ」と６４ビットの「ネットワークプレフィクス」とによって形成された１２８ビットの信号である。「ネットワークプレフィクス」は、機器が接続されるべきネットワークを特定する役割を有するが、「インタフェースＩＤ」は、当該ネットワーク内における機器そのものを特定する役割を有する。
【００２３】
端末装置１２と基地局装置１０とは、例えば、第２世代コードレス電話システムに対応する。そのため、図示しない複数の端末装置１２のそれぞれは、端末識別番号によって特定される。なお、端末識別番号の詳細は後述するが、これは、８ビットの「上位番号」と２４ビットの「端末番号」とによって形成された３２ビットの信号である。上位番号と端末番号とは、端末装置１２を特定する役割を有する。一方、図示しない複数の基地局装置１０のそれぞれは、基地局識別番号によって特定される。基地局識別番号の詳細も後述するが、これは、８ビットの「上位番号」とｘビットの「ページングエリア番号」と２４−ｘビットの「基地局番号」によって形成された３２ビットの信号である。上位番号と端末番号とは、基地局装置１０を特定する役割を有するが、「ページングエリア番号」は、基地局装置１０が所属すべきネットワークを特定する役割を有する。
【００２４】
また、これらによって形成される無線ネットワークでの通信速度は、ネットワーク２１２での通信速度よりも低速であるものとする。そのため、基地局装置１０と端末装置１２は、互いに端末識別番号や基地局識別番号を通知しあうことによって、ＩＰｖ６アドレスを送信することなく、ＩＰｖ６アドレスを取得できる。また、端末装置１２は、移動することによって、複数の基地局装置１０間においてハンドオーバを実行するが、切替先の基地局装置１０のＩＰｖ６アドレスを受信しなくても、当該基地局装置１０の基地局識別番号を受信するだけで、当該基地局装置１０が接続されるネットワークに関する情報を取得できる。その結果、シームレスなハンドオーバが実現される。
【００２５】
サーバ装置２１０は、基地局装置１０を介して、端末装置１２に所定のサービスを提供する。サーバ装置２１０は、端末装置１２や基地局装置１０のＩＰｖ６アドレスを取得するが、基地局装置１０や端末装置１２と逆の手順で、ＩＰｖ６アドレスから基地局識別番号や端末識別番号を導出する。そのため、基地局識別番号や端末識別番号をサーバ装置２１０に知らせなくても、サーバ装置２１０は、基地局識別番号や端末識別番号が使用されたサービスを提供できる。
【００２６】
図２は、端末装置１２の構成を示す。端末装置１２は、通信部１１０、制御部１１２、処理部１１４を含む。また、制御部１１２は、入力部１２０、基地局ＭＡＣアドレス生成部１２２、記憶部１２４、インタフェースＩＤ生成部１２６、ネットワークプレフィクス生成部１２８、ＩＰｖ６アドレス生成部１３０を含む。
【００２７】
通信部１１０は、アンテナを介して、図示しない基地局装置１０との間において無線通信を実行する。前述のごとく、無線通信は、第２世代コードレス電話システムに相当しているので、通信部１１０は、第２世代コードレス電話システムに対応した処理を実行する。そのため、ここでは、通信部１１０の説明を省略する。なお、通信部１１０は、図示しない基地局装置１０から受信した基地局識別番号を制御部１１２に出力する。処理部１１４は、通信部１１０、制御部１１２と連携して、所定のアプリケーションを実行する。なお、アプリケーションは公知の技術であるので、ここでは、説明を省略する。
【００２８】
制御部１１２は、端末装置１２全体の動作を制御する。また、制御部１１２は、基地局識別番号から基地局装置１０のＩＰｖ６アドレスを生成する。ここでは、後者を説明する。なお、説明は、図３（ａ）−（ｅ）を参照しながら行う。入力部１２０は、通信部１１０から基地局識別番号を受けつける。前述のごとく、基地局識別番号は、上位番号、ページングエリア番号、基地局番号によって形成される。図３（ａ）−（ｅ）は、制御部１１２において生成されるアドレスの構成を示しており、図３（ａ）は、入力部１２０に入力される基地局識別番号を示す。図示のごとく、基地局識別番号は３２ビットの情報を含み、上位番号、ページングエリア番号、基地局番号は、それぞれ８ビット、ｘビット、２４−ｘビットの情報を含む。図２に戻る。
【００２９】
記憶部１２４は、変換テーブルを予め記憶する。変換テーブルとは、上位番号と事業者割当ＭＡＣアドレスとを対応づけたテーブルである。事業者割当ＭＡＣアドレスとは、２４ビットにて形成されており、各事業者に対して所定の規則のもとに割当がなされたＭＡＣアドレスである。つまり、変換テーブルは、８ビットの情報と２４ビットの情報とを対応づける。図４は、記憶部１２４に記憶された変換テーブルのデータ構造を示す。図示のごとく、上位番号欄２００、事業者割当ＭＡＣアドレス欄２０２が含まれる。上位番号は、８ビットなので、「２５５」以下の情報を表現できる。ここでは、説明を明瞭にするために、上位番号は、「２５５」以下の値になるとする。そのため、上位番号欄２００は、「２５５」のエントリを有する。一方、事業者割当ＭＡＣアドレスは、２４ビットであるが、ここでは、事業者割当ＭＡＣアドレスは、「２５５」種類の値を表現できるものとする。その結果、上位番号と事業者割当ＭＡＣとは、１対１で対応づけられる。図２に戻る。
【００３０】
基地局ＭＡＣアドレス生成部１２２は、記憶部１２４に記憶した変換テーブルを参照しながら、入力部１２０からの基地局識別番号に対して、上位番号から事業者割当ＭＡＣアドレスへの変換を行う。その結果、基地局ＭＡＣアドレス生成部１２２は、上位番号よりもビット数の多い事業者割当ＭＡＣアドレス、ページングエリア番号、基地局番号によって形成された基地局ＭＡＣアドレスを生成する。図３（ｂ）は、基地局ＭＡＣアドレス生成部１２２において生成される基地局ＭＡＣアドレスを示す。図示のごとく、基地局ＭＡＣアドレスは、４８ビットの情報を含み、事業者割当ＭＡＣアドレス、ページングエリア番号、基地局番号は、それぞれ２４ビット、ｘビット、２４−ｘビットの情報を含む。図２に戻る。
【００３１】
インタフェースＩＤ生成部１２６は、基地局ＭＡＣアドレス生成部１２２からの基地局ＭＡＣアドレスに対して、事業者割当ＭＡＣアドレスの所定ビットを反転させるとともに、１６ビットの固定ビットを挿入することによって、インタフェースＩＤを生成する。図３（ｃ）は、インタフェースＩＤ生成部１２６において生成されるインタフェースＩＤを示す。図示のごとく、インタフェースＩＤは、６４ビットの情報を含み、事業者割当ＭＡＣアドレス、固定ビット、ページングエリア番号、基地局番号は、それぞれ２４ビット、１６ビット、ｘビット、２４−ｘビットの情報を含む。なお、図３（ｃ）における事業者割当ＭＡＣアドレスは、図３（ｂ）における事業者割当ＭＡＣアドレスの上位７ビット目を反転させている。また、固定ビットは、「０ｘＦＦＦＥ」である。図２に戻る。
【００３２】
ネットワークプレフィクス生成部１２８は、入力部１２０からの基地局識別番号のうち、ページングエリア番号を抽出する。また、ネットワークプレフィクス生成部１２８は、予め規定されたネットワークプレフィクスの一部を保持する。ネットワークプレフィクスの一部とは、基地局装置１０を運用している事業者に対して付与されているネットワークプレフィクスであり、ここでは、固定値であるとする。ネットワークプレフィクス生成部１２８は、ネットワークプレフィクスの一部とページングエリア番号とを結合することによって、ネットワークプレフィクスを生成する。図３（ｄ）は、ネットワークプレフィクス生成部１２８において生成されるネットワークプレフィクスを示す。図示のごとく、ネットワークプレフィクスは、６４ビットの情報を含み、ネットワークプレフィクスの一部、ページングエリア番号は、それぞれ６４−ｘビット、ｘビットの情報を含む。図２に戻る。
【００３３】
ＩＰｖ６アドレス生成部１３０は、ネットワークプレフィクス生成部１２８において生成したネットワークプレフィクスと、インタフェースＩＤ生成部１２６において生成したインタフェースＩＤを結合することによって、基地局装置１０のＩＰｖ６アドレスを生成する。図３（ｅ）は、ＩＰｖ６アドレス生成部１３０において生成されるＩＰｖ６アドレスを示す。図示のごとく、ＩＰｖ６アドレスは、１２８ビットの情報を含み、ネットワークプレフィクス、インタフェースＩＤは、それぞれ６４ビットの情報を含む。
【００３４】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３５】
図５は、端末装置１２の別の構成を示す。端末装置１２は、通信部１１０、制御部１１２、処理部１１４を含む。また、制御部１１２は、入力部１２０、端末ＭＡＣアドレス生成部１３２、記憶部１２４、インタフェースＩＤ生成部１３４、ネットワークプレフィクス生成部１３６、ＩＰｖ６アドレス生成部１３０を含む。図２に示した端末装置１２は、基地局装置１０のＩＰｖ６アドレスを生成しているが、図５に示した端末装置１２は、端末装置１２のＩＰｖ６アドレスを生成する。なお、これらは、ひとつの端末装置１２に備えられていてもよい。通信部１１０、処理部１１４は、図２と同様であるので、ここでは、説明を省略する。
【００３６】
制御部１１２は、端末識別番号および基地局識別番号から端末装置１２のＩＰｖ６アドレスを生成する。なお、説明は、図６（ａ）−（ｅ）を参照しながら行う。入力部１２０は、通信部１１０から基地局識別番号を受けつける。記憶部１２４は、端末識別番号を記憶する。前述のごとく、端末識別番号は、上位番号、端末番号によって形成される。前述のごとく、基地局識別番号は、上位番号、ページングエリア番号、基地局番号によって形成される。図６（ａ）−（ｅ）は、制御部１１２において生成されるアドレスの構成を示しており、図６（ａ）は、記憶部１２４に記憶される端末識別番号を示す。図示のごとく、基地局識別番号は３２ビットの情報を含み、上位番号、端末番号は、それぞれ８ビット、２４ビットの情報を含む。図５に戻る。また、記憶部１２４は、変換テーブルを予め記憶する。変換テーブルについては、前述の通りなので、ここでは、説明を省略する。なお、記憶部１２４に記憶された端末識別番号は、通信部１１０から配信される。
【００３７】
端末ＭＡＣアドレス生成部１３２は、記憶部１２４に記憶した変換テーブルを参照しながら、記憶部１２４に記憶した端末識別番号に対して、上位番号から事業者割当ＭＡＣアドレスへの変換を行う。その結果、端末ＭＡＣアドレス生成部１３２は、上位番号よりもビット数の多い事業者割当ＭＡＣアドレス、端末番号によって形成された端末ＭＡＣアドレスを生成する。図６（ｂ）は、端末ＭＡＣアドレス生成部１３２において生成される端末ＭＡＣアドレスを示す。図示のごとく、端末ＭＡＣアドレスは、４８ビットの情報を含み、事業者割当ＭＡＣアドレス、端末番号は、それぞれ２４ビットの情報を含む。図５に戻る。
【００３８】
インタフェースＩＤ生成部１３４は、端末ＭＡＣアドレス生成部１３２からの端末ＭＡＣアドレスに対して、事業者割当ＭＡＣアドレスの所定ビットを反転させるとともに、１６ビットの固定ビットを挿入することによって、インタフェースＩＤを生成する。図６（ｃ）は、インタフェースＩＤ生成部１３４において生成されるインタフェースＩＤを示す。図示のごとく、インタフェースＩＤは、６４ビットの情報を含み、事業者割当ＭＡＣアドレス、固定ビット、端末番号は、それぞれ２４ビット、１６ビット、２４ビットの情報を含む。なお、図６（ｃ）における事業者割当ＭＡＣアドレスは、図６（ｂ）における事業者割当ＭＡＣアドレスの上位７ビット目を反転させている。また、固定ビットは、「０ｘＦＦＦＥ」である。図５に戻る。
【００３９】
ネットワークプレフィクス生成部１３６は、入力部１２０からの基地局識別番号のうち、ページングエリア番号を抽出する。また、ネットワークプレフィクス生成部１３６は、予め規定されたネットワークプレフィクスの一部を保持する。ネットワークプレフィクス生成部１３６は、ネットワークプレフィクスの一部とページングエリア番号とを結合することによって、ネットワークプレフィクスを生成する。図６（ｄ）は、ネットワークプレフィクス生成部１２８において生成されるネットワークプレフィクスを示す。図示のごとく、ネットワークプレフィクスは、６４ビットの情報を含み、ネットワークプレフィクスの一部、ページングエリア番号は、それぞれ６４−ｘビット、ｘビットの情報を含む。図５に戻る。
【００４０】
ＩＰｖ６アドレス生成部１３０は、ネットワークプレフィクス生成部１３６において生成したネットワークプレフィクスと、インタフェースＩＤ生成部１３４において生成したインタフェースＩＤを結合することによって、端末装置１２のＩＰｖ６アドレスを生成する。図６（ｅ）は、ＩＰｖ６アドレス生成部１３０において生成されるＩＰｖ６アドレスを示す。図示のごとく、ＩＰｖ６アドレスは、１２８ビットの情報を含み、ネットワークプレフィクス、インタフェースＩＤは、それぞれ６４ビットの情報を含む。
【００４１】
図７は、基地局装置１０の構成を示す。基地局装置１０は、通信部１５０、制御部１５２、処理部１５４を含む。また、制御部１５２は、入力部１６０、端末ＭＡＣアドレス生成部１６２、記憶部１６４、インタフェースＩＤ生成部１６６、ネットワークプレフィクス生成部１６８、ＩＰｖ６アドレス生成部１７０を含む。
【００４２】
通信部１５０は、アンテナを介して、図示しない端末装置１２との間において無線通信を実行する。前述のごとく、無線通信は、第２世代コードレス電話システムに相当しているので、通信部１５０は、第２世代コードレス電話システムに対応した処理を実行する。そのため、ここでは、通信部１５０の説明を省略する。なお、通信部１５０は、図示しない端末装置１２から受信した端末識別番号を制御部１５２に出力する。処理部１５４は、通信部１５０、制御部１５２と連携して、図示しないネットワーク２１２と接続する。
【００４３】
制御部１５２は、基地局装置１０全体の動作を制御する。また、制御部１５２は、端末識別番号および基地局識別番号から端末装置１２のＩＰｖ６アドレスを生成する。ここでは、後者を説明する。なお、制御部１５２において生成されるアドレスは、図６（ａ）−（ｅ）と同一である。入力部１６０は、通信部１５０から端末識別番号を受けつける。記憶部１６４は、基地局識別番号を記憶するとともに、変換テーブルも記憶する。なお、記憶部１６４に記憶された基地局識別番号は、通信部１５０から配信される。端末ＭＡＣアドレス生成部１６２は、記憶部１６４に記憶した変換テーブルを参照しながら、入力部１６０からの端末識別番号に対して、上位番号から事業者割当ＭＡＣアドレスへの変換を行う。その結果、端末ＭＡＣアドレス生成部１６２は、上位番号よりもビット数の多い事業者割当ＭＡＣアドレス、端末番号によって形成された端末ＭＡＣアドレスを生成する。
【００４４】
インタフェースＩＤ生成部１６６は、端末ＭＡＣアドレス生成部１６２からの端末ＭＡＣアドレスに対して、事業者割当ＭＡＣアドレスの所定ビット、つまり上位７ビット目を反転させるとともに、「０ｘＦＦＦＥ」の固定ビットを挿入することによって、インタフェースＩＤを生成する。ネットワークプレフィクス生成部１６８は、記憶部１６４に記憶した基地局識別番号のうちのページングエリア番号と、予め規定されたネットワークプレフィクスの一部とを結合することによって、ネットワークプレフィクスを生成する。ＩＰｖ６アドレス生成部１７０は、ネットワークプレフィクス生成部１６８において生成したネットワークプレフィクスと、インタフェースＩＤ生成部１６６において生成したインタフェースＩＤを結合することによって、端末装置１２のＩＰｖ６アドレスを生成する。
【００４５】
次に、実施例の変形例を説明する。これまでは、第２世代コードレス電話システムを説明の対象としていた。変形例での通信システムにおいて、各フレームは、複数のタイムスロットが時間分割多重されることによって形成され、各タイムスロットは、複数のサブチャネルが周波数分割多重されることによって形成されている。また、各サブチャネルは、マルチキャリア信号によって形成されている。ここで、マルチキャリア信号としてＯＦＤＭ信号が使用されており、周波数分割多重としてＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式が使用されている。ＯＦＤＭＡ方式とは、ＯＦＤＭを利用しながら複数の端末装置を周波数多重する技術である。基地局装置は、各タイムスロットに含まれた複数のサブチャネルのそれぞれを端末装置に割り当てることによって、複数の端末装置との通信を実行する。また、基地局装置と端末装置の間では、前述の基地局識別番号と端末識別番号とが送信されている。
【００４６】
図８（ａ）ー（ｃ）は、本発明の変形例に係る通信システム１００におけるフレーム構成を示す。図の横方向が時間軸に相当する。フレームは、８つのタイムスロットの時間多重によって形成されている。また、８つのタイムスロットは、４つの上りタイムスロットと４つの下りタイムスロットから構成されている。ここでは、４つの上りタイムスロットを「第１上りタイムスロット」から「第４上りタイムスロット」として示し、４つの下りタイムスロットを「第１下りタイムスロット」から「第４下りタイムスロット」として示す。また、図示したフレームは、連続して繰り返される。
【００４７】
なお、フレームの構成は、図８（ａ）に限定されず、例えば、４つのタイムスロットや１６個のタイムスロットによって構成されてもよいが、ここでは、説明を明瞭にするために、フレームの構成を図８（ａ）として説明する。また、説明を簡潔にするために、上りのタイムスロットと下りのタイムスロットの構成は、同一であるとする。そのため、上りタイムスロットと下りタイムスロットのいずれかについてのみ説明を行う場合もあるが、他方のタイムスロットも同様の説明が有効である。さらに、図８（ａ）に示されたフレームが複数連続することによって、スーパーフレームが形成される。ここでは、一例として、「２０」個のフレームによって、スーパーフレームが形成されているものとする。
【００４８】
図８（ｂ）は、図８（ａ）のうちのひとつのタイムスロットの構成を示す。図の縦方向が周波数軸に相当する。図示のごとく、ひとつのタイムスロットは、「第１サブチャネル」から「第１６サブチャネル」までの「１６」個のサブチャネルの周波数多重によって形成される。また、これらの複数のサブチャネルは、周波数分割多重されている。各タイムスロットが図８（ｂ）のように構成されているので、タイムスロットとサブチャネルとの組合せによって、前述の通信チャネルが特定される。また、図８（ｂ）のうちのひとつのサブチャネルに対応したフレーム構成が図８（ａ）であるとしてもよい。なお、ひとつのタイムスロットに配置されるサブチャネルの数は、「１６」個でなくてもよい。ここで、上りタイムスロットにおけるサブチャネルの割当と、下りタイムスロットにおけるサブチャネルの割当とは、同一であるものとする。また、スーパーフレームを単位にして、少なくともひとつの制御信号が割り当てられるものとする。例えば、スーパーフレームに含まれた複数の下りタイムスロットのうち、ひとつのタイムスロットのひとつのサブチャネルに制御信号が割り当てられる。また、上り回線も同様である。
【００４９】
図８（ｃ）は、図８（ｂ）のうちのひとつのサブチャネルの構成を示す。図８（ａ）や図８（ｂ）と同様に、図の横方向が時間軸に相当し、図の縦方向が周波数軸に相当する。また、周波数軸に対して、「１」から「２９」の番号を付与しているが、これらは、サブキャリアの番号を示す。このように、サブチャネルは、マルチキャリア信号によって構成されており、特にＯＦＤＭ信号によって構成されている。図中の「ＴＳ」は、トレーニングシンボルに相当し、既知の値によって構成される。また、「ＴＳ」中に制御信号が含まれてもよいものとする。「ＧＳ」は、ガードシンボルに相当し、ここに実質的な信号は配置されない。「ＰＳ」は、パイロットシンボルに相当し、既知の値によって構成される。「ＤＳ」は、データシンボルに相当し、送信すべきデータである。「ＧＴ」は、ガードタイムに相当し、ここに実質的な信号は配置されない。
【００５０】
図９は、本発明の変形例に係る通信システム１００におけるサブチャネルの配置を示す。図９では、横軸に周波数軸が示されており、図８（ｂ）に示したタイムスロットに対するスペクトルが示される。ひとつのタイムスロットには、前述のごとく、第１サブチャネルから第１６サブチャネルの１６個のサブチャネルが周波数分割多重されている。各サブチャネルは、マルチキャリア信号、ここでは、ＯＦＤＭ信号によって構成されている。
【００５１】
図１０は、本発明の変形例に係る基地局装置１０の構成を示す。基地局装置１０は、ＲＦ部２０と総称される第１ＲＦ部２０ａ、第２ＲＦ部２０ｂ、第ＮＲＦ部２０ｎ、ベースバンド処理部２２、変復調部２４、ＩＦ部２６、無線制御部２８、記憶部３０を含む。また、無線制御部２８は、制御チャネル決定部３２、無線リソース割当部３８を含む。
【００５２】
ＲＦ部２０は、受信処理として、図示しない端末装置１２から受信した無線周波数のマルチキャリア信号に対して周波数変換を実行し、ベースバンドのマルチキャリア信号を生成する。ここで、マルチキャリア信号は、図９のごとく形成されており、また、図８（ａ）の上りタイムスロットに相当する。さらに、ＲＦ部２０は、ベースバンドのマルチキャリア信号をベースバンド処理部２２に出力する。一般的に、ベースバンドのマルチキャリア信号は、同相成分と直交成分によって形成されるので、ふたつの信号線によって伝送されるべきであるが、ここでは、図を明瞭にするためにひとつの信号線だけを示すものとする。また、ＲＦ部２０には、ＡＧＣやＡ／Ｄ変換部も含まれる。
【００５３】
ＲＦ部２０は、送信処理として、ベースバンド処理部２２から入力したベースバンドのマルチキャリア信号に対して周波数変換を実行し、無線周波数のマルチキャリア信号を生成する。さらに、ＲＦ部２０は、無線周波数のマルチキャリア信号を送信する。なお、ＲＦ部２０は、受信したマルチキャリア信号と同一の無線周波数帯を使用しながら、マルチキャリア信号を送信する。つまり、図８（ａ）のごとく、ＴＤＤ（Ｔｉｍｅ  Ｄｉｖｉｓｉｏｎ  Ｄｕｐｌｅｘ）が使用されているものとする。また、ＲＦ部２０には、ＰＡ（Ｐｏｗｅｒ  Ａｍｐｌｉｆｉｅｒ）、Ｄ／Ａ変換部も含まれる。
【００５４】
ベースバンド処理部２２は、受信動作として、複数のＲＦ部２０のそれぞれからベースバンドのマルチキャリア信号を入力する。ベースバンドのマルチキャリア信号は、時間領域の信号であるので、ベースバンド処理部２２は、ＦＦＴによって、時間領域の信号を周波数領域に変換し、周波数領域の信号に対してアダプティブアレイ信号処理を実行する。また、ベースバンド処理部２２は、タイミング同期、つまりＦＦＴのウインドウの設定を実行し、ガードインターバルの削除も実行する。タイミング同期等には、公知の技術が使用されればよいので、ここでは、説明を省略する。ベースバンド処理部２２は、アダプティブアレイ信号処理の結果を変復調部２４へ出力する。ベースバンド処理部２２は、送信動作として、変復調部２４から、周波数領域のマルチキャリア信号を入力し、ウエイトベクトルによる分散処理を実行する。
【００５５】
ベースバンド処理部２２は、送信動作として、変復調部２４から入力した周波数領域のマルチキャリア信号に対して、ＩＦＦＴによって、周波数領域の信号を時間領域に変換し、変換した時間領域の信号をＲＦ部２０へ出力する。また、ベースバンド処理部２２は、ガードインターバルの付加も実行するが、ここでは説明を省略する。ここで、周波数領域の信号は、図８（ｂ）のごとく、複数のサブチャネルを含み、さらにサブチャネルのそれぞれは、図８（ｃ）の縦方向のごとく、複数のサブキャリアを含む。図を明瞭にするために、周波数領域の信号は、サブキャリア番号の順に並べられて、シリアル信号を形成しているものとする。
【００５６】
変復調部２４は、受信処理として、ベースバンド処理部２２からの周波数領域のマルチキャリア信号に対して、復調を実行する。周波数領域に変換したマルチキャリア信号は、図８（ｂ）や（ｃ）のごとく、複数のサブキャリアのそれぞれに対応した成分を有する。また、復調は、サブキャリア単位でなされる。変復調部２４は、復調した信号をＩＦ部２６に出力する。また、変復調部２４は、送信処理として、変調を実行する。変復調部２４は、変調した信号を周波数領域のマルチキャリア信号としてベースバンド処理部２２に出力する。
【００５７】
ＩＦ部２６は、受信処理として、変復調部２４から復調結果を受けつけ、復調結果を端末装置１２単位に分離する。つまり、復調結果は、図９のごとく、複数のサブチャネルによって構成されている。そのため、ひとつのサブチャネルがひとつの端末装置１２に割り当てられている場合、復調結果には、複数の端末装置１２からの信号が含まれている。ＩＦ部２６は、このような復調結果を端末装置１２単位に分離する。ＩＦ部２６は、分離した復調結果を図示しない有線ネットワークに出力する。その際、ＩＦ部２６は、宛先を識別するための情報、例えば、ＩＰ（Ｉｎｔｅｒｎｅｔ  Ｐｒｏｔｏｃｏｌ）アドレスにしたがって送信を実行する。
【００５８】
また、ＩＦ部２６は、送信処理として、図示しない有線ネットワークから複数の端末装置１２に対するデータを入力する。ＩＦ部２６は、データをサブチャネルに割り当て、複数のサブチャネルからマルチキャリア信号を形成する。つまり、ＩＦ部２６は、図９のごとく、複数のサブチャネルによって構成されるマルチキャリア信号を形成する。なお、データが割り当てられるべきサブチャネルは、図８（ｃ）のごとく予め決められており、それに関する指示は、無線制御部２８から受けつけるものとする。ＩＦ部２６は、マルチキャリア信号を変復調部２４に出力する。
【００５９】
無線リソース割当部３８は、各タイムスロットに含まれた複数のサブチャネルのそれぞれを端末装置１２に定期的に割り当てる。無線リソース割当部３８は、ＲＦ部２０、ベースバンド処理部２２、変復調部２４を介して、端末装置１２からサブチャネルの割当要求を受けつける。無線リソース割当部３８は、空いているサブチャネルを端末装置１２に割り当てる。また、無線リソース割当部３８は、変復調部２４、ベースバンド処理部２２、ＲＦ部２０を介して、割り当てた結果を端末装置１２に送信する。
【００６０】
制御チャネル決定部３２は、制御信号をサブチャネルに割り当てる。ここで、制御信号とは、端末装置１２との通信を制御するために使用される情報が含まれた信号である。このような制御信号の重要性は、データ信号よりも高いといえる。制御チャネル決定部３２は、記憶部３０を参照しながら、予め定めたサブチャネルに制御信号を選択する。また、制御チャネル決定部３２は、選択したサブチャネルを無線リソース割当部３８に通知する。無線リソース割当部３８は、制御チャネル決定部３２からの通知にしたがって、制御信号にサブチャネルを割り当てる。記憶部３０は、無線制御部２８と連携し、必要なデータを記憶する。なお、無線制御部２８は、以上の機能の他に、図７に示された制御部１５２の機能も有している。変形例に係る端末装置１２の構成についての説明は省略するが、これは、図１０に示された基地局装置１０に対応するように構成される。端末装置１２は、図２や図５に示された制御部１１２の機能も有している。
【００６１】
本発明の実施例によれば、基地局識別番号に含まれた上位番号をもとにインタフェースＩＤを生成し、基地局識別番号に含まれたページングエリア番号をもとにネットワークプレフィクスを生成するので、アドレスの構成に適した変換規則を使用しながら、基地局装置のＩＰｖ６アドレスを生成できる。また、ネットワークプレフィクスとページングエリア番号とを対応づけることによって、基地局装置がどのネットワークに所属しているのかという情報を反映できる。また、端末識別番号に含まれた上位番号をもとにインタフェースＩＤを生成し、基地局識別番号に含まれたページングエリア番号をもとにネットワークプレフィクスを生成するので、アドレスの構成に適した変換規則を使用しながら、端末装置のＩＰｖ６アドレスを生成できる。また、端末識別番号と端末装置のＩＰｖ６アドレスとの変換規則でありながら、ネットワークプレフィクスと基地局識別番号のページングエリア番号とを対応づけることによって、基地局装置がどのネットワークに所属しているのかという情報を反映できる。また、ハンドオーバ前に、切替先の基地局装置が所属しているネットワークに関する情報を取得できるので、シームレスなハンドオーバを実現できる。また、既存の通信にて伝送される情報だけでＩＰｖ６アドレスを伝送する機能を追加できる。
【００６２】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６３】
本発明の実施例において、基地局装置１０や端末装置１２は、基地局識別番号や端末識別番号から基地局装置１０のＩＰｖ６アドレスや端末装置１２のＩＰｖ６アドレスを生成する。しかしながらこれに限らず、ネットワーク２１２に接続されたサーバ装置２１０等が、基地局装置１０のＩＰｖ６アドレスや端末装置１２のＩＰｖ６アドレスから、基地局識別番号や端末識別番号を取得してもよい。サーバ装置２１０の図示しない入力部は、基地局装置１０のＩＰｖ６アドレスを入力する。また、図示しないインタフェースＩＤ抽出部は、入力したＩＰｖ６アドレスから、インタフェースＩＤを抽出する。また、図示しない基地局ＭＡＣアドレス生成部は、抽出したインタフェースＩＤに対して、事業者割当ＭＡＣアドレスの所定ビットを反転させるとともに、固定ビットを削除することによって、基地局ＭＡＣアドレスを生成する。また、図示しない基地局識別番号生成部は、生成した基地局ＭＡＣアドレスに対して、予め記憶した変換テーブルを参照しながら、所定ビットを反転させた事業者ＭＡＣアドレスから上位番号への変換を行うことによって、所定ビットを反転させた事業者ＭＡＣアドレスよりもビット数の少ない上位番号、ページングエリア番号、基地局番号によって形成された基地局識別番号を生成する。
【００６４】
一方、サーバ装置２１０の図示しない入力部は、端末装置１２のＩＰｖ６アドレスを入力する。また、図示しないインタフェースＩＤ抽出部は、入力したＩＰｖ６アドレスから、インタフェースＩＤを抽出する。また、図示しない端末ＭＡＣアドレス生成部は、抽出したインタフェースＩＤに対して、事業者割当ＭＡＣアドレスの所定ビットを反転させるとともに、固定ビットを削除することによって、端末ＭＡＣアドレスを生成する。また、図示しない端末識別番号生成部は、生成した端末ＭＡＣアドレスに対して、予め記憶した変換テーブルを参照しながら、所定ビットを反転させた事業者ＭＡＣアドレスから上位番号への変換を行うことによって、所定ビットを反転させた事業者ＭＡＣアドレスよりもビット数の少ない上位番号、端末番号によって形成された端末識別番号を生成する。本変形例によれば、ＩＰｖ６アドレスのインタフェースＩＤをもとに基地局識別番号や端末識別番号を生成するので、基地局識別番号や端末識別番号の伝送を不要にできる。ＩＰｖ６アドレスを取得すると、無線通信システムにおける識別番号も取得できるので、無線通信システムに特化したアプリケーションを提供できる。
【図面の簡単な説明】
【００６５】
【図１】本発明の実施例に係る通信システムの構成を示す図である。
【図２】図１の端末装置の構成を示す図である。
【図３】図３（ａ）−（ｅ）は、図２の制御部において生成されるアドレスの構成を示す図である。
【図４】図２の記憶部に記憶された変換テーブルのデータ構造を示す図である。
【図５】図１の端末装置の別の構成を示す図である。
【図６】図６（ａ）−（ｅ）は、図５の制御部において生成されるアドレスの構成を示す図である。
【図７】図１の基地局装置の構成を示す図である。
【図８（ａ）】本発明の変形例に係る通信システムにおけるフレーム構成を示す図である。
【図８（ｂ）】本発明の変形例に係る通信システムにおけるフレーム構成を示す図である。
【図８（ｃ）】本発明の変形例に係る通信システムにおけるフレーム構成を示す図である。
【図９】本発明の変形例に係る通信システムにおけるサブチャネルの配置を示す図である。
【図１０】本発明の変形例に係る基地局装置の構成を示す図である。
【符号の説明】
【００６６】
１０  基地局装置、  １２  端末装置、  ２０  ＲＦ部、  ２２  ベースバンド処理部、  ２４  変復調部、  ２６  ＩＦ部、  ２８  無線制御部、  ３０  記憶部、  ３２  制御チャネル決定部、  ３８  無線リソース割当部、  １００  通信システム、  １１０  通信部、  １１２  制御部、  １１４  処理部、  １２０  入力部、  １２２  基地局ＭＡＣアドレス生成部、  １２４  記憶部、  １２６  インタフェースＩＤ生成部、  １２８  ネットワークプレフィクス生成部、  １３０  ＩＰｖ６アドレス生成部、  １３２  端末ＭＡＣアドレス生成部、  １３４  インタフェースＩＤ生成部、  １３６  ネットワークプレフィクス生成部、  １５０  通信部、  １５２  制御部、  １５４  処理部、  １６０  入力部、  １６２  端末ＭＡＣアドレス生成部、  １６４  記憶部、  １６６  インタフェースＩＤ生成部、  １６８  ネットワークプレフィクス生成部、  １７０  ＩＰｖ６アドレス生成部。
【図１】
2008236410.tif 000003
【図２】
2008236410.tif 000004
【図３】
2008236410.tif 000005
【図４】
2008236410.tif 000006
【図５】
2008236410.tif 000007
【図６】
2008236410.tif 000008
【図７】
2008236410.tif 000009
【図８（ａ）】
2008236410.tif 000010
【図８（ｂ）】
2008236410.tif 000011
【図８（ｃ）】
2008236410.tif 000012
【図９】
2008236410.tif 000013
【図１０】
2008236410.tif 000014